(57)【要約】【課題】本発明は、短絡端子の過剰変形を防止し、接続する短絡端子を適正な位置に配置させることのできるコネクタを提供することを目的としている。【解決手段】互いの間隔を狭める方向に弾性変形可能な一対の板バネ部と、一方の板バネ部の先端より突出する位置に設けられ、且つ、一方の板バネ部より下方に突出する接点とを有する短絡端子と、短絡端子が収容されるキャビティと、キャビティに突出する端子支持部とを有するハウジングとを備え、短絡端子をキャビティに挿入し、端子支持部の形状に沿って一対の板バネ部が弾性変形して挿入が許容され、接点が端子支持部を越える挿入完了位置では、一対の板バネ部の弾性復帰力によって短絡端子がキャビティに保持されるコネクタであって、板バネ部よりも接点の幅寸法が小さく形成され、接点の挿入軌跡以外で、且つ、一方の短絡端子の端部の挿入軌跡に端子支持部が設けられたことを特徴とする。【選択図】図４
2015026509.tif 000002
【特許請求の範囲】
【請求項１】
互いの間隔を狭める方向に弾性変形可能な一対の板バネ部と、一方の板バネ部の先端より突出する位置に設けられ、且つ、一方の前記板バネ部より下方に突出する接点とを有する端子と、
前記端子が収容されるキャビティと、前記キャビティに突出する端子支持部とを有するハウジングとを備え、
前記端子を前記キャビティに挿入し、前記端子支持部の形状に沿って一対の前記板バネ部が弾性変形して挿入が許容され、前記接点が前記端子支持部を越える挿入完了位置では、一対の板バネ部の弾性復帰力によって前記端子が前記キャビティに保持されるコネクタであって、
前記板バネ部よりも前記接点の幅寸法が小さく形成され、前記接点の挿入軌跡以外で、且つ、一方の端子の端部の挿入軌跡に前記端子支持部が設けられたことを特徴とするコネクタ。
【請求項２】
請求項１記載のコネクタであって、
前記端子支持部は、前記端子の端部の挿入軌跡に一対設けられ、一対の端子支持部の間には溝部が設けられたことを特徴とするコネクタ。
【発明の詳細な説明】
【技術分野】
【０００１】
本発明は、嵌合検知用端子を用いるコネクタに関するものである。
【背景技術】
【０００２】
従来、一般的なコネクタとしては、特許文献１に示すようなコネクタが知られている。
【０００３】
このコネクタは、雄側コネクタと雌側コネクタとを備え、雌側コネクタには、雄側コネクタの係止部に仮係止及び本係止させて保持可能とするロック片が形成されている。
【０００４】
また、このロック片には、雄側コネクタの雄側端子と接続する短絡端子が配設されている。このロック片に配設される短絡端子は、弾性を有しており、断面略Ｕ字状に湾曲して形成されており、雄側コネクタと雌側コネクタとを係止するロック片とともに弾性変形可能に形成されている。そして、ロック片とともに弾性変形した短絡端子が弾性復帰することで、雄側コネクタと雌側コネクタとの係止が完了し、雄側端子と短絡端子が接続している。
【先行技術文献】
【特許文献】
【０００５】
【特許文献１】特開平１１−１４４８０９号公報
【発明の概要】
【発明が解決しようとする課題】
【０００６】
特許文献１に示すような従来のコネクタでは、雄側コネクタと雌側コネクタのいずれか一方に短絡端子を取り付ける際、短絡端子を弾性変形させてコネクタ内の端子収容室に挿入している。
【０００７】
しかし、短絡端子を端子収容室に挿入する際、端子収容室の開口が短絡端子の一対の撓み片間の距離よりも幅狭であるため、短絡端子を弾性変形させなければならない。加えて、端子収容室内に短絡端子を支持する支持部が設けられている場合、短絡端子が支持部を乗り越えて支持されるため、より短絡端子を弾性変形させなければならない。
【０００８】
すなわち、短絡端子を端子収容室に挿入する際には、短絡端子の一対の撓み片間の距離を狭める方向に短絡端子を変形させなければならないが、短絡端子には端部から下方に突出するようにして接点が設けられているため、より短絡端子の撓み片間の距離を狭める方向に過剰に変形させることにより、短絡端子が弾性復帰せずに、短絡端子が永久変形してしまうという虞があった。
【０００９】
そして、短絡端子が永久変形することによって、短絡端子と所望の端子とが接続しないため導通不良が発生してしまうという問題があった。
【００１０】
そこで、本発明は、短絡端子の過剰変形を防止し、接続する短絡端子を適正な位置に配置させることのできるコネクタを提供することを目的としている。
【課題を解決するための手段】
【００１１】
上記の課題を解決するために、請求項１の発明では、互いの間隔を狭める方向に弾性変形可能な一対の板バネ部３４と、一方の板バネ部３４の先端より突出する位置に設けられ、且つ、一方の前記板バネ部３４より下方に突出する接点３７とを有する端子１９と、前記端子１９が収容されるキャビティ２４と、前記キャビティ２４に突出する端子支持部２５とを有するハウジング１５とを備え、前記端子１９を前記キャビティ２４に挿入し、前記端子支持部２５の形状に沿って一対の前記板バネ部３４が弾性変形して挿入が許容され、前記接点３７が前記端子支持部２５を越える挿入完了位置では、一対の板バネ部３４の弾性復帰力によって前記端子１９が前記キャビティ２４に保持されるコネクタ１であって、前記板バネ部３４よりも前記接点３７の幅寸法が小さく形成され、前記接点３７の挿入軌跡以外で、且つ、一方の端子１９の端部３５の挿入軌跡に前記端子支持部２５が設けられたことを特徴とする。
【００１２】
また、請求項２の発明では、請求項１記載のコネクタ１であって、前記端子支持部２５は、前記端子１９の端部３５の挿入軌跡に一対設けられ、一対の端子支持部２５の間には溝部３３が設けられたことを特徴とする。
【発明の効果】
【００１３】
請求項１記載の発明によれば、短絡端子をコネクタに挿入する際、短絡端子の端部が端子支持部の形状に沿って弾性変形するが、接点は一対の端子支持部の間に設けられた溝部を通過することにより、接点が端子支持部を乗り越えない。すなわち、短絡端子の端部から下方に突出して形成された接点が端子支持部を乗り越えないため、一対の板バネ部が近接する方向に弾性変形する距離を短くすることができ、短絡端子の過剰変形を防止することができ、短絡端子の端部に形成される接点を適正な位置に配置することができる。
【００１４】
また、請求項２記載の発明によれば、請求項１の効果に加え、一対の端子支持部が設けられているため、コネクタ内に安定して短絡端子を挿入することができるとともに、短絡端子を一対の端子支持部にて確実に支持することができる。
【図面の簡単な説明】
【００１５】
【図１】コネクタの分解斜視図。
【図２】雄コネクタの断面図。
【図３】雌コネクタの断面図。
【図４】雌コネクタの断面及び一部拡大斜視図。
【図５】雌コネクタに短絡端子を取り付ける際の一部断面コネクタ上面図。
【図６】雌コネクタに短絡端子を取り付けた状態のロック操作部側コネクタ側面図。
【図７】雌コネクタに短絡端子を組み付け途中の状態を示すコネクタ断面図。
【図８】雌コネクタに短絡端子を組み付けた完了状態を示すコネクタ断面図。
【図９】雄コネクタと雌コネクタの組み付け途中の状態を示すコネクタの断面図。
【図１０】雄コネクタと雌コネクタの組み付け完了状態を示すコネクタ断面図。
【発明を実施するための形態】
【００１６】
以下、本発明の実施の形態について、図１〜１０を用いて詳細に説明する。
【００１７】
図１に示すように、コネクタ装置１は、雄コネクタ２と、本発明のコネクタである雌コネクタ３とから構成されている。
【００１８】
図１，２に示すように、雄コネクタ２は、雄ハウジング５と、後述する端子（短絡端子１９）と接続する検知用バスバー７と、後述する雌端子１７と接続する雄端子９とを備えている。この検知用バスバー７と雄端子９の一端側は、雄ハウジング５に形成される相手コネクタ嵌合部１０内に向けて突出するようにして配置され、他端側は折り曲げられて基板４に接続されている。
【００１９】
雄ハウジング５の内周には、相手コネクタが嵌合する相手コネクタ嵌合部１０が複数形成され、この相手コネクタ嵌合部１０を仕切るようにしてリブ１１が形成され、後述する雌コネクタ３のロック部２１が収容されるロック部収容室６と雄端子９が収容される端子収容室８とが形成されている。
【００２０】
また、リブ１１には、検知用バスバー７が収容されるバスバー収容部１２が凹設して形成されている。
【００２１】
さらに、相手コネクタ嵌合部１０内に突出するようにして雄側係止部１３が立設されており、後述する雌コネクタ３のロック部２１に係止する。
【００２２】
図３〜５に示すように、雌コネクタ３は、外形形状が雄ハウジング５の相手コネクタ嵌合部１０と略同一形状を有する雌ハウジング１５と、上述した雄端子９と接続する雌端子１７と、検知用バスバー７と接続する短絡端子１９とを備えている。
【００２３】
雌ハウジング１５は、雄ハウジング５を固定するロック部２１と、雌端子１７を収容する複数のキャビティ２４と、後述する端子支持部２５が配置される凹部２６とを備えている。
【００２４】
後述する凹部２６を覆うようにして形成されるロック部２１は、弾性を有するロック操作部２２と、雄側係止部１３と係止する雌側係止部２３とを備えている。
【００２５】
ロック操作部２２は、押圧することによってロック部２１を弾性変形させコネクタ同士の着脱を操作しており、後述する凹部２６側へ弾性変形可能に設けられている。
【００２６】
雌側係止部２３には、傾斜面２７が設けられており、雄側係止部２３と係止する際、雄側係止部２３を案内している。また、雌側係止部２３と雄側係止部１３が係止することにより、雄コネクタ２が雌コネクタ３から脱落するのを防止している。
【００２７】
雌ハウジング１５に複数設けられるキャビティ２４には、雌端子１７が収容されており、この雌端子１７の一端には、雄端子９が挿入して接続され、他端には、電線Ｗが接続されている。
【００２８】
上述したロック部２１の弾性変形を許容するようにして設けられる凹部２６は、短絡端子１９を支持する端子支持部２５を備えている。
【００２９】
凹部２６に形成される端子支持部２５は、後述する短絡端子１９に形成される接点３７の挿入軌跡以外の短絡端子１９の挿入を案内する左右一対の傾斜部３１と、一対の傾斜部３１の間で接点３７の挿入軌跡上に形成される溝部３３とを備えている。
【００３０】
また、傾斜部３１には支点２９が設けられており、短絡端子１９の端部３５を支持することによって、ロック部２１の内壁と端子支持部２５との間に挿入された短絡端子１９を保持している。
【００３１】
また、溝部３３は、短絡端子１９の接点３７の幅よりも幅広に形成され、キャビティ２４内に挿入される短絡端子１９の接点３７が通過可能となっている。
【００３２】
上述した端子支持部２５に支持される短絡端子１９は、略Ｕ字形状に形成されており、互いの間隔を狭める方向に弾性変形可能な一対の板バネ部３４と、一方の板バネ部３４の先端より突出する位置に設けられ、且つ、一方の前記板バネ部３４より下方に突出する接点３７とを有している。
【００３３】
板バネ部３４の一方の端部３５には、湾曲するようにして突出する一対の接点３７が設けられている。この一対の接点３７は、端部３５から下方（端子支持部２５側）に向けて突出して形成されている。また、この接点３７の最下方位置は、短絡端子１９の弾性を利用して検知用バスバー７と接続する。
【００３４】
なお、一方の端部３５から突出する接点３７の幅寸法は、図５に示すように、板バネ部３４の幅寸法よりも小さく形成されており、後述する端子支持部２５の溝部３３を通過可能な幅寸法に形成されている。
【００３５】
また、図６に示すように、短絡端子１９が端子支持部２５に支持され、接点３７が上述した検知用バスバー７と接続することによって、雄コネクタ２と雌コネクタ３とが正常に嵌合したことを検知することができる。
【００３６】
次に、図７，８を用いて、雌コネクタ３への短絡端子１９の組み付けについて説明する。
【００３７】
まず、ロック部２１の内壁と凹部２６との間に短絡端子１９を挿入する。このとき、短絡端子１９の他方側の板バネ部３４はロック部２１の内壁に沿って挿入されている。
【００３８】
挿入された短絡端子１９の他方側の板バネ部３４が雌ハウジング１５の内周に沿うとともに、一方側の板バネ部３４の端部３５が傾斜部３１の傾斜形状に沿って案内される。
【００３９】
このとき、一対の板バネ部３４が互いの間隔を狭める方向に弾性変形して挿入が許容され、板バネ部３４の端部３５に形成された接点３７が一対の傾斜部３１の間に形成された溝部３３を挿通する。そして、一方側の板バネ部３４の端部３５が端子支持部２５に支持される挿入完了位置では、一対の板バネ部３４の弾性復帰力によって短絡端子１９が雌ハウジング１５と端子支持部２５とによって支持される。
【００４０】
そして、板バネ部３４の一方側の端部３５が端子支持部２５の支点２９に支持されるとともに、接点３７が支点２９間に設けられた溝部３３を通過することによって、雌コネクタ３への短絡端子１９の組み付けが完了する。
【００４１】
次に、図９，１０を用いて、雄コネクタ２と雌コネクタ３の組み付けについて説明する。
【００４２】
まず、雌コネクタ３の開口部２０の他側から雄コネクタ２の相手コネクタ嵌合部１０へ雌コネクタ３を挿入する。そして、雌コネクタ３を相手コネクタ嵌合部１０内に挿入することにより、雌側係止部２３の傾斜面２７が雄側係止部１３に当接する。
【００４３】
さらに、雌コネクタ３を雄コネクタ２内に挿入することで、雌側係止部２３が雄側係止部１３に押圧されて雌コネクタ３のロック操作部２２が図９中矢印A方向に変位するとともに、短絡端子１９がロック部２１の内壁と支点２９によって押圧されて、図中９矢印Ｂ方向へ荷重がかかる。
【００４４】
そして、さらに雌コネクタ３を雄コネクタ２内に挿入することによって、図１０中矢印Ｃ方向のように雌ハウジング１５に設けられた傾斜面２７に案内されて雄側係止部１３が雌側係止部２３を乗り越え、雌コネクタ３が弾性復帰して、雄側係止部１３と雌側係止部２３とが係止される。
【００４５】
また、雄側係止部１３と雌側係止部２３とが係止するとともに、短絡端子１９の他端側の端部３５が端子支持部２５に支持され、接点３７が検知用バスバー７に当接して短絡される。
【００４６】
本実施例によれば、短絡端子をコネクタに挿入する際、短絡端子の端部が端子支持部の形状に沿って弾性変形するが、接点は一対の端子支持部の間に設けられた溝部を通過することにより、接点が端子支持部を乗り越えない。すなわち、短絡端子の端部から下方に突出して形成された接点が端子支持部を乗り越えないため、一対の板バネ部が近接する方向に弾性変形する距離を短くすることができ、短絡端子の過剰変形を防止することができ、短絡端子の端部に形成される接点を適正な位置に配置することができる。
【００４７】
加えて、一対の端子支持部が設けられているため、コネクタ内に安定して短絡端子を挿入することができるとともに、短絡端子を一対の端子支持部にて確実に支持することができる。
【００４８】
なお、本実施例では、一対の端子支持部が設けられた形態について説明したが、一方側のみ端子支持部を設けた場合であってもよい。すなわち、短絡端子を支持するとともに、短絡端子をキャビティ内に挿入する際、接点が端子支持部を乗り越えないように溝部等が設けられていればよい。
【産業上の利用可能性】
【００４９】
本発明は、嵌合検知用コネクタに利用することができる。
【符号の説明】
【００５０】
１  コネクタ
１５  ハウジング
１９  短絡端子
２５  端子支持部
３４  板バネ部
３７  接点
【図１】
2015026509.tif 000003
【図２】
2015026509.tif 000004
【図３】
2015026509.tif 000005
【図４】
2015026509.tif 000006
【図５】
2015026509.tif 000007
【図６】
2015026509.tif 000008
【図７】
2015026509.tif 000009
【図８】
2015026509.tif 000010
【図９】
2015026509.tif 000011
【図１０】
2015026509.tif 000012